(57)【要約】【課題】数字や英記号等を用いない新規なパスワード設定、その設定の解除方法を提供する。 【解決手段】パスワード設定に際しては、升目配列された複数タッチ部のうちの所定数のタッチ部に対するタッチ操作順序をパスワードとして入力し、パスワードロック解除に際しては、上記タッチ操作順序でタッチ操作する。【選択図】図４
2011164737.tif 000002
【特許請求の範囲】
【請求項１】
パスワード設定に際しては、
タッチパネル画面上に複数のタッチ部を配列してなるパスワード入力画面を表示させる第１ステップと、
上記パスワード入力画面上の上記複数のタッチ部のうちの所定数のタッチ部に対して行うタッチ操作の順序（タッチ操作順序）をパスワードとして入力する第２ステップと、
上記パスワード入力後にパスワード設定ボタンをタッチ操作してパスワード入力を確定する第３ステップと、
を実行する一方、
パスワードロック解除に際しては、
タッチパネル画面上に上記パスワード入力画面を表示させる第４ステップと、
上記パスワード入力画面上の複数のタッチ部のうち、上記所定数のタッチ部に対して上記タッチ操作順序と同様のタッチ操作順序にてタッチ操作する第５ステップと、
上記パスワード入力後にパスワードロック解除ボタンをタッチ操作してパスワードロック解除を実行する第６ステップと、
を実行する、ことを特徴とするパスワード管理方法。
【請求項２】
上記パスワード入力画面を、縦横升目状に配列する複数のタッチ部で構成する、ことを特徴とする請求項１に記載の方法。
【請求項３】
上記タッチ部は、無表示空白である、ことを特徴とする請求項１または２に記載の方法。
【請求項４】
上記タッチパネル画面が、複数同時タッチ操作を無効とするシングルタッチパネル画面であり、各タッチ操作が時間間隔を空けて行われる、ことを特徴とする請求項１ないし３のいずれかに記載の方法。
【請求項５】
ＨＭＩ作画ソフトで作成されたプロジェクトファイルによる画面をタッチパネル画面上に表示してタッチ操作することが可能なＨＭＩ機器において、
当該プロジェクトファイルに請求項１ないし４のいずれかに記載の方法を実行するパスワード管理情報を含ませておき、タッチパネル画面上で、上記プロジェクトファイルによる画面操作を実施するにおいては上記パスワード管理情報によりパスワードロックおよびその解除を行えるようにした、ことを特徴とするパスワード設定機能付きＨＭＩ機器。
【発明の詳細な説明】
【技術分野】
【０００１】
本発明は、タッチパネル画面上をタッチ操作によりパスワードを設定したり設定を解除したりするなどのパスワード管理方法ならびに、パスワードの設定機能付きのＨＭＩ（ヒューマン・マシーン・インターフェース）機器に関するものである。
【背景技術】
【０００２】
ＨＭＩ機器としては例えばタッチパネル画面付きのプログラマブル表示器がある。このプログラマブル表示器は、ＨＭＩ機器として、ＲＳ２３２Ｃなどのシリアル通信ケーブルによって接続され、相互にデータの通信が可能とされるＰＬＣを通じて外部機器の状況を表示するとともにＰＬＣ（プログラマブルコントローラ）を通じて外部機器を操作することができるようになっている（特許文献１）。なお、ＨＭＩ機能を備えたＨＭＩ機器にはパネルコンピュータ等も含まれる。プログラマブル表示器ではタッチパネル画面に外部機器を操作するための操作部品を表示し、ユーザは表示器に表示されている操作部品を操作して外部機器を操作することができるようになって、外部機器とユーザとのインタフェースを形成するＨＭＩ機器となる。
【０００３】
このようにプログラマブル表示器は、ＰＬＣに接続されたデバイスの稼働状況を表示したり、デバイスへの制御指示を与えるための操作入力を画面から受け付けたりする機能を備える。表示器で表示される画面は、作画ソフトを用いてユーザが独自に外部ＰＣ（パーソナルコンピュータ）の編集画面上で編集して作成することができる。作成された画面は、画面データとしてプログラマブル表示器に転送されて記憶される。そして、ＰＬＣの稼働時には、ＰＬＣに接続されたデバイスの状態に応じて、プログラマブル表示器の表示部に表示される画面上の表示部品が動的に変化する。また、表示部品への画面上の入力操作が制御指示としてデバイスに与えられる。作成された画面は、制御対象毎に一連の関連する複数の画面としてまとめてプロジェクトファイルとして管理することができるようになっている。 プロジェクトファイルは、複数（数百）の画面データと、この画面データだけでは表示器は動作しないので、画面データに従い表示器の動作に必要な設定データを含めたデータの集合である。
【０００４】
以上において、画面作成者により作成したプロジェクトファイルは、外部ＰＣからプログラマブル表示器に転送されてダウンロードされる。このプロジェクトファイルによりプログラマブル表示器上のタッチパネル画面上に表示した表示画面を、特定のオペレータにのみ修正、変更等を行ったりすることができるようにしたい。このような場合、プロジェクトファイルの展開にはパスワードを付けることが考えられる。従来からのパスワードでは、数字や英記号等を入力し、パスワードロック操作をすることで行われる。
【０００５】
しかしながら、こうしたパスワードでは場合によって、誕生日、住所その他により当該オペレータ固有の或る程度関連付けられた数字や英記号等が選択され易い傾向となり、パスワード盗用の可能性も少なくないと指摘される。
【先行技術文献】
【特許文献】
【０００６】
【特許文献１】特開２００５−３３９４３４号公報
【発明の概要】
【発明が解決しようとする課題】
【０００７】
本発明により解決すべき課題は、数字や英記号等を用いない新規なパスワード管理方法を提供するものである。
【課題を解決するための手段】
【０００８】
本発明によるパスワード管理方法は、パスワード設定に際しては、タッチパネル画面上に複数のタッチ部を配列してなるパスワード入力画面を表示させる第１ステップと、上記パスワード入力画面上の上記複数のタッチ部のうちの所定数のタッチ部に対して行うタッチ操作の順序（タッチ操作順序）をパスワードとして入力する第２ステップと、上記パスワード入力後にパスワード設定ボタンをタッチ操作してパスワード入力を確定する第３ステップと、を実行する一方、パスワードロック解除に際しては、タッチパネル画面上に上記パスワード入力画面を表示させる第４ステップと、上記パスワード入力画面上の複数のタッチ部のうち、上記所定数のタッチ部に対して上記タッチ操作順序と同様のタッチ操作順序にてタッチ操作する第５ステップと、上記パスワード入力後にパスワードロック解除ボタンをタッチ操作してパスワードロック解除を実行する第６ステップと、を実行する、ことを特徴とする。
【０００９】
本発明では、パスワード入力画面をタッチパネル画面上に配列された、好ましくは無表示空白の複数のタッチ部で構成し、かつ、そのパスワード入力画面上の所定数のタッチ部に対して行うタッチ操作において、そのタッチ操作順序をパスワードとしたので、数字や英記号等によりパスワードを想定することもできず、セキュリティ性が大きく向上するパスワード管理を提供することができる。
【００１０】
好ましくは、上記パスワード入力画面を、縦横升目状に配列する複数のタッチ部で構成する。
【００１１】
好ましくは、上記タッチ部は、無表示空白とする。この無表示空白は数字や英記号等が表示されていないという意味である。
【００１２】
好ましくは、上記タッチパネル画面が、複数同時タッチ操作を無効とするシングルタッチパネル画面であり、各タッチ操作が時間間隔を空けて行われる。
【００１３】
本発明によるＨＭＩ機器は、ＨＭＩ作画ソフトで作成されたプロジェクトファイルによる画面をタッチパネル画面上に表示してタッチ操作をすることが可能なＨＭＩ機器であり、当該プロジェクトファイルに上記パスワード管理方法を実行するパスワード管理情報を含ませておき、タッチパネル画面上で、上記プロジェクトファイルによる画面操作を実施するにおいては上記パスワード管理情報によりパスワードロックおよびその解除を行えるようにした、ことを特徴とする。
【発明の効果】
【００１４】
本発明によれば、複数のタッチ部に対してのタッチ操作順序をパスワードとしたので、従来のような数字や英記号等を用いたパスワードのごとく誕生日や住所地その他でパスワードを記憶しやすい数字ではないので、そのセキュリティ性が向上する。
【図面の簡単な説明】
【００１５】
【図１】図１は本発明の実施の形態にかかるパスワード管理方法に用いるパスワード入力画面の構成を示す図である。
【図２】図２はパスワード入力画面中のパスワード入力部を拡大して示す図である。
【図３】図３はパスワード入力画面においてパスワード設定ボタンを操作した状態を示す図である。
【図４】図４はパスワード設定例を示す図である。
【図５】図５はパスワード設定ボタン操作によりパスワードロックする状態を示す図である。
【図６】図６はシングルタッチパネル画面でのパスワード操作時間間隔の説明に用いる図である。
【図７】図７はシングルタッチパネル画面でのパスワード操作時間間隔が空いた場合の説明に用いる図である。
【図８】図８はパスワード入力画面においてパスワードロック解除ボタンを操作した状態を示す図である。
【図９】図９はパスワードロック解除操作例を示す図である。
【図１０】図１０はパスワードロック解除ボタン操作によりパスワードロック解除する状態を示す図である。
【図１１】図１１はマルチタッチパネル画面でのパスワードロック解除操作の時間間隔の説明に用いる図である。
【図１２】図１２はＨＭＩ機器の内部ブロック構成を示す図である。
【発明を実施するための形態】
【００１６】
以下、添付した図面を参照して、本発明の実施の形態に係るパスワード管理方法を説明する。作画ツール上でプロジェクトファイルの作成を完了すると、このプロジェクトファイルを特定オペレータにのみ操作することができるように、プロジェクトファイル内にパスワード情報を格納する。そして、プロジェクトファイルに対して何等かのファイル操作を行う場合には、プロジェクトファイル内に格納のパスワード情報を入力操作することを求めるようにする。
【００１７】
このようなパスワード情報を含むプロジェクトファイルはプログラマブル表示器等のＨＭＩ機器に転送されてダウンロードされる。そしてＨＭＩ機器側では、プロジェクトファイルに格納されているパスワード情報によりパスワードの設定を行うことでパスワードロックすると共に、パスワード設定されているプロジェクトファイルを展開する場合、そのパスワードロック状態を解除してプロジェクトファイルを展開する。このパスワードの設定は作画者側が行ってもよいし、ＨＭＩ機器を扱うユーザ側が行ってもよい。また、その設定等は、単一オペレータでも複数オペレータでもよく、複数オペレータの場合は、個々のオペレータがパスワードを設定できるようにしてもよい。
【００１８】
（パスワード設定）
パスワード設定を説明すると、図１で示すように、ＨＭＩ機器のタッチパネル画面上に、パスワード入力画面１が表示され、特定オペレータに対してパスワードの設定入力を促す。パスワード入力画面１は、パスワード入力に際してタッチ操作されるパスワード入力部２と、パスワード設定開始に際して、およびパスワード設定してパスワードロックに際して操作されるパスワード設定ボタン３と、パスワードロックの解除を開始する際および解除操作終了に際して操作されるパスワードロック解除ボタン４とを含む。これらボタン３，４は図解の都合で２つとしているが、１つのボタンで構成することもできる。
【００１９】
パスワード入力部２を図２で拡大して示す。
【００２０】
パスワード入力部２は、複数の無表示空白タッチ部５…が行列配列して構成されている。実施の形態ではパスワード入力部２は、８行８列で６４個のタッチ部５で構成されるが、タッチ部５の構成数は任意でよく、特に限定しない。なお、図２では行列番号が記入されているが、これは図解の都合で記入したものであり、実際のパスワード入力部２にはこの行列番号の記入は省略されてもよいし、省略せずに表示してもよい。これらタッチ部５は無表示空白であり、記号や英文字等は表示されていない。これらタッチ部５は縦横升目状に配列されているが、これに限定されず、各タッチ部５を互いから離間して配列してもよく、タッチ部５を蛇行させて配列させたり、種々な配列形態を含む。また、各タッチ部５は平面視矩形状であるが、矩形形状に限定されず、円形状、楕円状、その他でよく、形状は特に限定しない。
【００２１】
これらタッチ部５のうち、所定数の、例えば、実施の形態では４個のタッチ部の操作順序（タッチ操作順序）がパスワードとされる。
【００２２】
まず、図３で示すように、パスワード設定に際しては、パスワード設定ボタン３を操作する。パスワード設定ボタン３への操作により、ＨＭＩ機器に対して、続けて行われるタッチ操作はパスワード設定操作であると通知する。ＨＭＩ機器はこの通知を受けて、続けての４回のタッチ操作をパスワード入力操作であると受け付ける。
【００２３】
図４を参照して、まず、第１番目のタッチ操作が、タッチ部（１，１）に対して行われる。続けて、矢印で示すように、第２番目のタッチ操作が、タッチ部（８，８）に対して行われる。さらに続けて、矢印で示すように、第３番目のタッチ操作が、タッチ部（２，４）に対して行われる。最後に矢印で示すように、第４番目のタッチ操作がタッチ部（８，３）に対して行われる。こうして、上記タッチ操作が終了すると、図５で示すように、パスワード設定ボタン３を操作すると、上記タッチ操作順序である（１，１）→（８，８）→（２，４）→（８，３）が、ＨＭＩ機器に対してプロジェクトファイルの操作上のパスワードとして受け付けられ、プロジェクトファイルに格納される。
【００２４】
なお、図６を参照してタッチ操作タイミングを説明すると、上記のように第１ないし第４タッチ操作において、第１タッチ操作の操作時間ｔ０−ｔ１、第２タッチ操作の操作時間ｔ２−ｔ３、第３タッチ操作の操作時間ｔ４−ｔ５、第４タッチ操作の操作時間ｔ６−ｔ７は時間が重ならない。そして、図７で示すように、前のタッチ操作の終了時刻がｔ８で、次のタッチ操作の開始時刻がｔ１０である場合に、前のタッチ操作の終了時刻ｔ８からキャンセル時間ｔｃが経過した時刻ｔ９の後の時刻ｔ１０に当該次のタッチ操作が行われた場合、当該次のタッチ操作は無効となるようにしてよい。
【００２５】
（パスワードロック解除）
上記パスワード設定でパスワードロックされている場合において、そのパスワードロックを解除するに際しては、図８で示すように、パスワードロック解除ボタン４を操作する。この操作により、ＨＭＩ機器にはパスワードロック解除操作が行われることを通知する。ＨＭＩ機器はこの通知を受けて、続けての４回のタッチ操作をパスワードロック解除操作であると受け付ける。図９で示すように、まず、第１番目のタッチ操作が、タッチ部（１，１）に対して行われる。続けて、矢印で示すように、第２番目のタッチ操作が、タッチ部（８，８）に対して行われる。さらに続けて、矢印で示すように、第３番目のタッチ操作が、タッチ部（２，４）に対して行われる。最後に矢印で示すように、第４番目のタッチ操作がタッチ部（８，３）に対して行われる。こうして、上記タッチ操作順序は、行列番号では、（１，１）→（８，８）→（２，４）→（８，３）となり、図１０で示すように、パスワードロック解除ボタン４をタッチ操作することにより、これがＨＭＩ機器に対してプロジェクトファイルの操作上のパスワードロック解除として受け付けられ、プロジェクトファイル上の特定の画面が表示され、この画面に対して所要の修正等を行うことができるようになる。
【００２６】
以上の実施の形態では、２つ以上のタッチ部を同時にタッチ操作することができず、これらタッチ操作を無効とするシングルタッチパネル画面であったが、２つ以上のタッチ部の同時操作を有効とするマルチタッチパネル画面にも適用することができる。マルチタッチパネル画面では、例えば図１１で示すように、タッチ部（１，１）に対して第１番目のタッチ操作が時刻ｔ１で終了する前の時刻ｔ２でタッチ部（８，８）に対して第２番目のタッチ操作を行う。そして、タッチ部（８，８）に対しての第２番目のタッチ操作が時刻ｔ３で終了する前の時刻ｔ４で、タッチ部（２，４）に対して第３番目のタッチ操作を行う。次に、タッチ部（２，４）に対しての第３番目のタッチ操作が時刻ｔ５で終了する前の時刻ｔ６でタッチ部（８，３）に対して第４番目のタッチ操作を行う。
【００２７】
もちろん、マルチタッチパネル画面であってもシングルタッチパネル画面と同様なタッチ操作としてもよい。
【００２８】
次に図１２を参照してＨＭＩ機器６を説明すると、このＨＭＩ機器６は例えばプログラマブル表示器やパネルコンピュータ等であり、ＣＰＵ７、プログラムメモリ８、プロジェクトファイルメモリ９、表示制御部１０、表示部１１、タッチパネル制御部１２、タッチパネル１３、マウスやキーボード等の入力部１４、作画ツールとの通信インターフェース１５を備える。このＨＭＩ機器６においては、通信インターフェース１５を通じて作画ツールからプロジェクトファイルがプロジェクトファイルメモリ９にダウンロードされる。ダウンロードされたプロジェクトファイルには、パスワード情報が格納されている。
【００２９】
タッチパネル制御部１２は、タッチパネル１３がシングルタッチパネル画面やマルチタッチパネル画面を備えている。プログラムメモリ８は、ＨＭＩ機器としてのプログラムを格納している。プロジェクトファイルメモリ９に格納するプロジェクトファイルは、そのファイル操作に当たって、パスワード入力画面が表示され、そのパスワード入力画面に対して上記したパスワードの設定、設定の解除操作により、ファイル画面を展開することができる。
【００３０】
以上説明したように本実施の形態では、パスワード入力画面１を無表示空白で升目状に互いに隣接配列された複数のタッチ部５で構成し、かつ、所定数のタッチ部５に対して行うタッチ操作の順序をパスワードとしたので、数字や英記号等とは異なってパスワード想定も難しいパスワード設定となり、そのセキュリティ性が大きく向上する。
【符号の説明】
【００３１】
１  パスワード入力画面
２  パスワード入力部
３  パスワード設定ボタン
４  パスワードロック解除ボタン
【図１】
2011164737.tif 000003
【図２】
2011164737.tif 000004
【図３】
2011164737.tif 000005
【図４】
2011164737.tif 000006
【図５】
2011164737.tif 000007
【図６】
2011164737.tif 000008
【図７】
2011164737.tif 000009
【図８】
2011164737.tif 000010
【図９】
2011164737.tif 000011
【図１０】
2011164737.tif 000012
【図１１】
2011164737.tif 000013
【図１２】
2011164737.tif 000014